(57)【要約】【課題】この発明は、電子放出素子が形成されたガラス基板を補強する金属が磁化されることにより、電子放出素子から放出される電子の進路が影響を受けることを効果的に防止し、高品質な映像表示を可能とする映像表示装置及びその制御方法を提供することを目的としている。【解決手段】ガラス基板４２１に形成された複数の電子放出素子４２から放出される電子を受けてスクリーン５１を発光させる平面型表示パネル１４において、ガラス基板４２１を補強する金属性材料で形成された補強板５３が磁化されたことを検出する検出手段５９，６１と、補強板５３が磁化されたことが検出されたとき、補強板５３を消磁可能とする消磁手段６０，６３とを備える。【選択図】      図７
2007104084.tif 000002
【特許請求の範囲】
【請求項１】
複数の電子放出素子がマトリクス状に形成されたガラス基板と、
前記ガラス基板に形成された複数の電子放出素子の配列面に対向して設置され、複数の電子放出素子から放出される電子を受けて発光するスクリーンと、
前記複数の電子放出素子を映像信号に基づいて駆動し、前記スクリーンに映像を表示させる駆動手段と、
前記ガラス基板を補強する金属性材料で形成された補強板と、
前記補強板が磁化されたことを検出する検出手段と、
前記検出手段により前記補強板が磁化されたことが検出されたとき、前記補強板を消磁可能とする消磁手段とを具備することを特徴とする映像表示装置。
【請求項２】
前記検出手段は、
前記補強板の磁化の強さを測定する測定手段と、
前記測定手段で測定された前記補強板の磁化の強さと予め設定された基準となる磁化の強さとを比較し、前記補強板の磁化の強さが基準となる磁化の強さを越えたとき、前記補強板が磁化されたことを検出する比較手段とを具備することを特徴とする請求項１記載の映像表示装置。
【請求項３】
前記消磁手段は、
前記補強板の周縁部に沿って巻回された消磁用コイルと、
前記消磁用コイルに消磁用電流を供給する供給手段とを具備することを特徴とする請求項１または２記載の映像表示装置。
【請求項４】
前記供給手段は、前記検出手段により前記補強板が磁化されたことが検出されたとき、自動的に前記消磁用コイルに消磁用電流を供給することを特徴とする請求項３記載の映像表示装置。
【請求項５】
前記検出手段により前記補強板が磁化されたことが検出されたとき、前記補強板を消磁させることを促すメッセージを発生する発生手段を備えることを特徴とする請求項３記載の映像表示装置。
【請求項６】
前記供給手段は、前記発生手段により前記補強板を消磁させることを促すメッセージが発生されたとき、操作に基づいて前記消磁用コイルに消磁用電流を供給することを特徴とする請求項５記載の映像表示装置。
【請求項７】
前記検出手段及び前記消磁手段は、前記補強板を複数の領域に分割したそれぞれの領域に対して設置されることを特徴とする請求項１記載の映像表示装置。
【請求項８】
複数の電子放出素子がマトリクス状に形成されたガラス基板と、
前記ガラス基板に形成された複数の電子放出素子の配列面に対向して設置され、複数の電子放出素子から放出される電子を受けて発光するスクリーンと、
前記複数の電子放出素子を映像信号に基づいて駆動し、前記スクリーンに映像を表示させる駆動手段と、
前記ガラス基板を補強する非磁性材料で形成された補強板とを具備することを特徴とする映像表示装置。
【請求項９】
複数の電子放出素子がマトリクス状に形成されたガラス基板と、
前記ガラス基板に形成された複数の電子放出素子の配列面に対向して設置され、複数の電子放出素子から放出される電子を受けて発光するスクリーンと、
放送信号を受信する受信手段と、
前記受信手段で受信された放送信号から映像信号を復元する復元手段と、
前記復元手段で復元された映像信号に基づいて前記複数の電子放出素子を駆動し、前記スクリーンに映像を表示させる駆動手段と、
前記ガラス基板を補強する金属性材料で形成された補強板と、
前記補強板が磁化されたことを検出する検出手段と、
前記検出手段により前記補強板が磁化されたことが検出されたとき、前記補強板を消磁可能とする消磁手段とを具備することを特徴とする放送受信装置。
【請求項１０】
複数の電子放出素子がマトリクス状に形成されたガラス基板と、前記ガラス基板に形成された複数の電子放出素子の配列面に対向して設置され、複数の電子放出素子から放出される電子を受けて発光するスクリーンと、前記複数の電子放出素子を映像信号に基づいて駆動し、前記スクリーンに映像を表示させる駆動手段と、前記ガラス基板を補強する金属性材料で形成された補強板とを備えた映像表示装置を制御する方法であって、
前記補強板の磁化の強さが基準となる磁化の強さを越えたことを検出する第１の工程と、
前記第１の工程の検出結果に基づいて前記補強板に巻回された消磁用コイルに消磁用電流を供給する第２の工程と、
前記第２の工程で前記消磁用コイルに消磁用電流が供給されているとき、前記補強板の磁化の強さが基準となる磁化の強さを下回ったことを検出する第３の工程と、
前記第３の工程の検出結果に基づいて前記消磁用コイルへの消磁用電流の供給を停止する第４の工程とを具備することを特徴とする映像表示装置の制御方法。
【発明の詳細な説明】
【技術分野】
【０００１】
この発明は、例えばＳＥＤ（surface-conduction electron-emitter display）等の平面型表示パネルを用いた映像表示装置及びその制御方法に関する。
【背景技術】
【０００２】
周知のように、近年では、テレビジョン放送のデジタル化が推進されてきている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、このようなテレビジョン放送を受信するテレビジョン放送受信機においては、薄型で大画面のものが望まれる傾向にある。このため、現在では、２つの素子電極間に電圧を印加することにより電子ビームを放出する表面伝道型電子放出素子を使用した、ＳＥＤ等の平面型表示パネルが広く採用されてきている。
【０００４】
すなわち、この平面型表示パネルは、表面伝道型電子放出素子から放出された電子ビームを、蛍光体をコーティングしたスクリーンに照射することにより蛍光物質を発光させることができ、そのときの輝度の強さを電子放出素子に印加する電圧の時間長で可変することができることを利用している。
【０００５】
具体的には、多数の電子放出素子をガラス基板上にマトリクス状に平面配列し、この配列体をスクリーンに対向させるように設置する。そして、個々の電子放出素子に、映像信号のサンプリング値に応じた時間長の電圧パルスを印加することによって、スクリーン上に映像を形成するようにしている。
【０００６】
ところで、この種の平面型表示パネルにあっては、上記ガラス基板の電子放出素子が形成されている面と反対側の面に、金属性材料で形成された補強板を沿わせることにより、ガラス基板を補強した状態で、テレビジョン放送受信機のキャビネット内に収容されるようになっている。
【０００７】
一方、テレビジョン放送受信機のキャビネット内には、例えばスピーカや変圧器等に代表される磁気発生源となる部品も収容されている。そして、このような磁気発生源によって補強板が磁化されると、ガラス基板に搭載した電子放出素子に磁気が作用して、電子放出素子から放出される電子の進路が影響を受けるという問題が生じる。
【０００８】
特許文献１には、陰極線管において、シャドウマストを支えるフレームをフェイスプレートパネルに支持する支持具の電子ビーム走査軌道部を非磁性材にして、他の部材から発生した磁束が支持具を通ったり、支持具が着磁したりすることによる電子ビームのミスランディングを防止する構成が開示されている。
【０００９】
また、特許文献２には、カラー陰極線管の電子銃に用いられる制御電極として、少なくとも２種の金属材料を突合せ接合させたものであって、３原色光に対応する３つの電子ビーム通過孔の形成部分を含む帯状領域を非磁性金属材料で形成することにより、制御電極に対する浮遊塵埃の付着を避けるようにした構成が開示されている。
【特許文献１】特開平０６−１１１７２６号公報
【特許文献２】特開平１０−２５５６８６号公報
【発明の開示】
【発明が解決しようとする課題】
【００１０】
しかしながら、これらの特許文献１，２は、いずれも、陰極線管の電子銃から放出される電子ビームの進路を補正するものであって、上記したＳＥＤ等の平面型表示パネルにおいて、電子放出素子が形成されたガラス基板を補強する金属板が磁化されて、電子ビームの進路が影響を受けることについては何らの記載もなされていないものである。
【００１１】
そこで、この発明は上記事情を考慮してなされたもので、電子放出素子が形成されたガラス基板を補強する金属が磁化されることにより、電子放出素子から放出される電子の進路が影響を受けることを効果的に防止し、高品質な映像表示を可能とする映像表示装置及びその制御方法を提供することを目的とする。
【課題を解決するための手段】
【００１２】
この発明に係る映像表示装置は、複数の電子放出素子がマトリクス状に形成されたガラス基板と、ガラス基板に形成された複数の電子放出素子の配列面に対向して設置され、複数の電子放出素子から放出される電子を受けて発光するスクリーンと、複数の電子放出素子を映像信号に基づいて駆動し、スクリーンに映像を表示させる駆動手段と、ガラス基板を補強する金属性材料で形成された補強板と、補強板が磁化されたことを検出する検出手段と、検出手段により補強板が磁化されたことが検出されたとき、補強板を消磁可能とする消磁手段とを備えるようにしたものである。
【００１３】
また、この発明に係る映像表示装置の制御方法は、複数の電子放出素子がマトリクス状に形成されたガラス基板と、ガラス基板に形成された複数の電子放出素子の配列面に対向して設置され、複数の電子放出素子から放出される電子を受けて発光するスクリーンと、複数の電子放出素子を映像信号に基づいて駆動し、スクリーンに映像を表示させる駆動手段と、ガラス基板を補強する金属性材料で形成された補強板とを備えた映像表示装置を制御する方法を対象としている。そして、補強板の磁化の強さが基準となる磁化の強さを越えたことを検出する第１の工程と、第１の工程の検出結果に基づいて補強板に巻回された消磁用コイルに消磁用電流を供給する第２の工程と、第２の工程で消磁用コイルに消磁用電流が供給されているとき、補強板の磁化の強さが基準となる磁化の強さを下回ったことを検出する第３の工程と、第３の工程の検出結果に基づいて消磁用コイルへの消磁用電流の供給を停止する第４の工程とを備えるようにしたものである。
【発明の効果】
【００１４】
上記した発明によれば、ガラス基板を補強する金属性材料で形成された補強板が磁化されたとき、補強板を消磁するようにしたので、電子放出素子から放出される電子の進路が磁気の影響を受けることを効果的に防止することができ、高品質な映像表示を可能にすることができる。
【発明を実施するための最良の形態】
【００１５】
以下、この発明の実施の形態について図面を参照して詳細に説明する。図１は、この実施の形態で説明するテレビジョン放送受信機１１を正面側から見た状態を示している。このテレビジョン放送受信機１１は、主として、薄型のキャビネット１２と、このキャビネット１２を支持する支持台１３とから構成されている。
【００１６】
このうち、キャビネット１２には、その正面中央部にＳＥＤ等の平面型表示パネル１４が配置されている。また、このキャビネット１２には、その平面型表示パネル１４の両側に、スピーカ１５、操作部１６及びワイヤレスのリモートコントローラ１７から送出された操作情報を受信するための受信部１８等が配置されている。
【００１７】
一方、上記支持台１３は、キャビネット１２の底面中央部に回動自在に連結されるもので、所定の基台１９の水平面上に載置された状態で、キャビネット１２を起立させて支持するように構成されている。
【００１８】
図２は、上記テレビジョン放送受信機１１の信号処理系を概略的に示している。この信号処理系を構成する各種の回路ブロックは、詳細は後述するが、主として、上記キャビネット１２の内部で背面に近い位置、つまり、上記平面型表示パネル１４の裏側あたりに配置されている。
【００１９】
そして、デジタルテレビジョン放送受信用のアンテナ２０で受信したデジタルテレビジョン放送信号は、入力端子２１を介してチューナ部２２に供給される。このチューナ部２２は、入力されたデジタルテレビジョン放送信号から所望のチャンネルの信号を選局し復調している。そして、このチューナ部２２から出力された信号は、デコーダ部２３に供給されて、例えばＭＰＥＧ（moving picture experts group）２デコード処理が施された後、セレクタ２４に供給される。
【００２０】
さらに、アナログテレビジョン放送受信用のアンテナ２５で受信したアナログテレビジョン放送信号は、入力端子２６を介してチューナ部２７に供給される。このチューナ部２７は、入力されたアナログテレビジョン放送信号から所望のチャンネルの信号を選局し復調している。そして、このチューナ部２７から出力された信号は、Ａ／Ｄ（analog／digital）変換部２８によりデジタル化された後、上記セレクタ２４に出力される。
【００２１】
また、アナログ信号用の入力端子２９に供給されたアナログの映像及び音声信号は、Ａ／Ｄ変換部３０に供給されてデジタル化された後、上記セレクタ２４に出力される。さらに、デジタル信号用の入力端子３１に供給されたデジタルの映像及び音声信号は、そのまま上記セレクタ２４に供給される。
【００２２】
上記セレクタ２４は、４種類の入力デジタル映像及び音声信号から１つを選択して、信号処理部３２に供給している。この信号処理部３２は、入力されたデジタル映像信号に所定の信号処理を施した後、上記平面型表示パネル１４を含む映像表示部３３に出力している。この映像表示部３３では、入力された映像信号に基づいて平面型表示パネル１４を駆動し、映像表示を行なわせている。また、上記信号処理部３２は、入力されたデジタル音声信号に所定の信号処理を施し、アナログ化して上記スピーカ１５に出力することにより、音声再生を行なっている。
【００２３】
ここで、このテレビジョン放送受信機１１は、上記した各種の受信動作を含む種々の動作を制御部３４によって統括的に制御されている。この制御部３４は、ＣＰＵ（central processing unit）等を内蔵しており、上記操作部１６からの操作情報、または、上記リモートコントローラ１７から送信された操作情報を受信部１８を介して受けることにより、その操作内容が反映されるように各部をそれぞれ制御している。
【００２４】
この場合、制御部３４は、主として、そのＣＰＵが実行する制御プログラムを格納したＲＯＭ（read only memory）３５と、該ＣＰＵに作業エリアを提供するためのＲＡＭ（random access memory）３６と、各種の設定情報及び制御情報等が格納される不揮発性メモリ３７とを利用している。
【００２５】
図３は、上記映像表示部３３の詳細を示している。この映像表示部３３は、上記平面型表示パネル１４と電圧パルス印加部３８と走査部３９とを備えている。このうち、平面型表示パネル１４は、複数の水平ライン４０と、この複数の水平ライン４０に交差する複数の垂直ライン４１と、複数の水平ライン４０と複数の垂直ライン４１との各交差部で、それぞれ、走査電極が水平ライン４０に接続され信号電極が垂直ライン４１に接続された表面伝導型の複数の電子放出素子４２と、後述するスクリーンとから構成されている。
【００２６】
この電子放出素子４２は、その信号電極と走査電極との間に印加された電位がスレッショルドを越えると電子放電が起き、対向するスクリーンの蛍光体を励起して発光させることができる。この場合、赤（Ｒ）、緑（Ｇ）、青（Ｂ）の蛍光体を交互に配することで、カラー表示が可能となる。
【００２７】
また、上記電圧パルス印加部３８は、上記信号処理部３２から供給されるＲＢＧ映像信号の１水平走査期間分を、クロックＣＫ１によりサンプリングしてラインメモリ４３に保持する。このラインメモリ４３に保持された映像信号１ライン分のサンプリング値は、次の水平走査期間に後述するパルス幅変調信号を出力する動作を行なうため、ラッチパルスＤＬのタイミングに合わせてラインメモリ４４にラッチされ、映像サンプリング値毎に用意されたコンパレータ４５１，４５２，４５３，……，４５ｎの一方の入力端に供給される。
【００２８】
一方、上記電圧パルス印加部３８には、１０ビットのカウンタ４６が備えられている。このカウンタ４６は、クロックＣＫ２をカウントアップし、リセット信号Ｒで初期化されることにより、水平走査期間毎に０から１０２３までの１０ビットの値を循環的に計数する。そして、このカウンタ４６の計数値は、各コンパレータ４５１，４５２，４５３，……，４５ｎの他方の入力端に供給される。
【００２９】
これらのコンパレータ４５１〜４５ｎは、それぞれ、ラインメモリ４４からの映像サンプリング値と、カウンタ４６の計数値とを比較し、カウンタ４６の計数値が映像サンプリング値より小さい場合にＨ（high）レベルを出力し、カウンタ４６の計数値が映像サンプリング値を越えた場合にＬ（low）レベルを出力する。
【００３０】
そして、各コンパレータ４５１〜４５ｎの出力は、それぞれ出力バッファ増幅器４７１〜４７nに供給される。これらの出力バッファ増幅器４７１〜４７nは、対応するコンパレータ４５１〜４５ｎの出力がＨレベルの場合に、基準電圧Ｖrefを出力する。
【００３１】
これにより、詳細は後述するが、各出力バッファ増幅器４７１〜４７nからは、電圧レベルが基準電圧Ｖrefで、映像サンプリング値に対応したパルス幅を有するパルス幅変調信号が出力され、上記した平面型表示パネル１４の各垂直ライン４１に供給されることになる。
【００３２】
一方、上記走査部３９は、シフトレジスタ４９を有している。このシフトレジスタ４９は、平面型表示パネル１４の各水平ライン４０に対応する複数の出力端を備えている。そして、水平同期パルスＨＰが入力される毎に、その複数の出力端からＨレベルが順次シフトされて出力される。また、このシフトレジスタ４９は、垂直同期パルスＶＰでリセットされる。
【００３３】
そして、このシフトレジスタ４９の各出力は、それぞれバッファ増幅器５０１〜５０ｍに供給される。これらのバッファ増幅器５０１〜５０ｍは、シフトレジスタ４９の出力がＨレベルのときに一定の負電位Ｖyonを出力する。そして、各バッファ増幅器５０１〜５０ｍの出力が、平面型表示パネル１４の各水平ライン４０に供給されることになる。
【００３４】
図４は、表面伝導型の電子放出素子４２の１つを拡大して示している。すなわち、ガラス基板４２１上に走査電極４２２と信号電極４２３とを形成し、各走査電極４２２と信号電極４２３とを、導電性薄膜４２４を介して、通電フォーミング処理により形成された電子放出部４２５に接続している。なお、符号４２６は通電活性化処理により形成した薄膜である。
【００３５】
このようにガラス基板４２１上に複数の電子放出素子４２が配列して形成される。そして、この複数の電子放出素子４２の配列面に面対向するように、所定間隔を置いて加速電圧印加用のスクリーン５１が配置されている。このスクリーン５１は、ガラス基板５１１上にＲＧＢに対応する蛍光体５１２を介してメタルバック５１３を設けたものである。
【００３６】
そして、上記走査電極４２２と信号電極４２３との間に電圧Ｅ１が印加されると、電子放出部４２５から電子が放出される。この放出された電子は、スクリーン５１のメタルバック５１３と走査電極４２２との間に印加された高レベルの加速電圧Ｅ２によってスクリーン５１側に引き付けられ、蛍光体５１２に衝突して発光させる。
【００３７】
図５（ａ）〜（ｉ）は、上記電圧パルス印加部３８におけるパルス幅変調動作を示している。ここでは、１水平走査期間分のパルス幅変調動作について説明する。図５（ａ）は水平同期信号ＨＤを示している。図５（ｂ）は、上記カウンタ４６に与えるクロックＣＫ２を示している。図５（ｃ）は、カウンタ４６の計数値を、縦軸を１０進数値として三角波状に表記して示したものである。
【００３８】
図５（ｄ）〜（ｈ）に示す波形ａ〜ａ＋４は、ラインメモリ４４から出力された映像サンプリング値がａの場合、ａ＋１の場合、……、ａ＋４の場合に、上記出力バッファ増幅器４７１〜４７nから得られるパルス幅変調信号をそれぞれ示している。図５（ｉ）は、図３における水平ライン４０のｉ本目の電位を示している。シフトレジスタ４９が水平同期パルスＨＰに合わせて上から順に１本ずつ選択的にオンし、振幅Ｖyonの負のパルスを１水平走査期間出力している。
【００３９】
図５（ｄ）に示すように、カウンタ４６の計数値が映像サンプリング値ａより小さい場合は、コンパレータ４５１〜４５ｎがＨレベルを出力し、出力バッファ増幅器４７１〜４７ｎが基準電圧Ｖrefの振幅の信号を出力する。カウンタ４６の計数値が映像サンプリング値ａを越えると、コンパレータ４５１〜４５ｎの出力がＬレベルになり、出力バッファ増幅器４７１〜４７ｎの出力がグランドレベルに落ちる。これにより、映像サンプリング値ａに応じたパルス幅の変調信号が得られる。
【００４０】
同様に、ラインメモリ４４から出力される映像サンプリング値がａ＋１の場合は、さらにクロックＣＫ２の１周期分長いパルス幅の変調信号が得られ、ラインメモリ４４から出力される映像サンプリング値がａ＋２、ａ＋３、ａ＋４、……では、その値に応じてパルス幅が決定される。
【００４１】
これにより、出力バッファ増幅器４７１〜４７ｎからは、ラインメモリ４４に保持された映像信号のサンプリング値に比例したパルス幅（階調表現に対応するパルス幅）のパルス幅変調信号が得られる。そして、出力バッファ増幅器４７１〜４７ｎから出力されたパルス幅変調信号は、垂直ライン４１に供給される。
【００４２】
このようにして、１水平走査期間分のパルス幅変調信号が垂直ライン４１に供給されている期間に、所定の選択された水平ライン４０に負の電圧Ｖyonが印加されると、その水平ライン４０に接続された各電子放出素子４２にＶref＋Ｖyonの電圧レベルが加わる。
【００４３】
このため、各電子放出素子４２は、パルス幅変調信号に応じた時間電子を放出し、蛍光体５１２がその時間に対応した輝度で発光することになる。これにより、１水平走査分の映像が表示される。
【００４４】
図６は、上記したテレビジョン放送受信機１１におけるキャビネット１２の内部を示している。すなわち、平面型表示パネル１４は、上記したように、表面伝導型の複数の電子放出素子４２が形成されたガラス基板４２１と、複数の電子放出素子４２に対応して複数の蛍光体５１２が形成されたガラス基板５１１とを備えている。
【００４５】
そして、平面型表示パネル１４は、電子放出素子４２と蛍光体５１２とが所定間隔離間して対向するように、ガラス基板４２１とガラス基板５１１とを面対向させた状態で、周囲を連結部材５２によって固定されている。なお、ガラス基板４２１，５１１及び連結部材５２で形成される空間は、密閉されて真空状態となされている。
【００４６】
ここで、上記ガラス基板４２１の電子放出素子４２が形成されている面と反対側の面には、その全面に金属性材料で形成された補強板５３が密着されており、ガラス基板４２１が補強されている。なお、この補強板５３は、その周縁部分が連結部材５２を覆うようにして、ガラス基板５１１の周縁部まで延設されている。
【００４７】
そして、この平面型表示パネル１４は、そのガラス基板５１１の蛍光体５１２が形成されている面と反対側の面を、キャビネット１２の前面中央部に形成された開口１２１から露出させるようにして、キャビネット１２内に収容されている。
【００４８】
また、上記補強板５３は、そのガラス基板４２１に密着している面と反対側の面、つまり、背面側の所定位置に、複数（図示の場合は３つ）のリブ５４が取着されている。そして、この複数のリブ５４には、回路基板５５が取着されている。
【００４９】
この回路基板５５には、主として、先に述べたチューナ部２２，２７、デコーダ部２３、セレクタ２４、Ａ／Ｄ変換部２８，３０、信号処理部３２及び映像表示部３３等よりなる信号処理系ブロック５６と、制御部３４、ＲＯＭ３５、ＲＡＭ３６及び不揮発性メモリ３７等よりなる制御系ブロック５７と、各部に電力を供給するための電源系ブロック５８とが形成されている。
【００５０】
ところで、上記電源系ブロック５８は、変圧器を含んでいる。また、キャビネット１２内には、上記スピーカ１５も収容されている。このようなスピーカ１５や変圧器等は磁気発生源となるため、金属性材料で形成されている補強板５３が磁化されることがある。このような磁気発生源によって補強板５３が磁化されると、ガラス基板４２１に搭載した電子放出素子４２に磁気が作用し、電子放出素子４２から放出される電子の進路が影響を受け、高画質な映像表示が行なえなくなるという問題が生じる。
【００５１】
この問題に対処するための第１の対策としては、補強板５３を、磁化されない材料、つまり、非磁性材料で形成する手法がある。
【００５２】
また、この問題に対処するための第２の対策としては、補強板５３が磁化されたことを検出して消磁する手法がある。
【００５３】
図７は、上記第２の対策の具体例を示している。すなわち、補強板５３には、その背面側の中央部に磁気センサ５９を設置している。また、補強板５３には、その周縁部に沿うように消磁用コイル６０を巻回している。そして、磁気センサ５９は、補強板５３の磁化の強さを測定し、その測定結果に対応したデータを比較回路６１に出力する。
【００５４】
この比較回路６１は、磁気センサ５９から供給されたデータを、制御端子６２に供給された基準データと比較する。この基準データは、予め基準となる磁化の強さに対応して設定されるものである。そして、比較回路６１は、補強板５３の磁化の強さが基準となる磁化の強さを越えたとき検出信号を駆動回路６３に出力する。この駆動回路６３は、比較回路６１から検出信号が供給されたとき、消磁用コイル６０に消磁用電流を流し、ここに、補強板５３が消磁される。
【００５５】
なお、上記制御端子６２に供給される基準データは、予め設定されて不揮発性メモリ３７に格納されており、必要に応じて制御部３４によって読み出され、制御端子６２を介して比較回路６１に供給されるようになっている。このため、基準データは、製造者側で任意に設定可能となる。
【００５６】
図８は、補強板５３が磁化されたことを検出して消磁する処理動作をまとめたフローチャートを示している。すなわち、処理動作が開始（ステップＳ１）されると、比較回路６１は、ステップＳ２で、補強板５３の磁化の強さが基準となる磁化の強さを越えたか否かを判別し、超えたと判断された場合（ＹＥＳ）、駆動回路６３に検出信号を出力する。これにより、駆動回路６３は、ステップＳ３で、消磁用コイル６０に消磁用電流を流して補強板５３の消磁が実行される。
【００５７】
その後、比較回路６１は、ステップＳ４で、補強板５３の磁化の強さが基準となる磁化の強さを下回ったか否かを判別し、下回ったと判断された場合（ＹＥＳ）、駆動回路６３への検出信号の出力を停止する。これにより、駆動回路６３は、ステップＳ５で、消磁用コイル６０への消磁用電流の供給を停止して、処理を終了（ステップＳ６）する。
【００５８】
上記した第２の対策によれば、補強板５３の磁化の強さが予め設定された基準となる磁化の強さを越えたとき、自動的に消磁用コイル６０に消磁用電流を流して補強板５３の消磁を行なうようにしたので、補強板５３が磁化されることにより、電子放出素子４２から放出される電子の進路が影響を受けることを効果的に防止することができ、ひいては、高品質な映像表示を行なうことが可能となる。
【００５９】
また、電子は、電子ビームスピードが遅いほど、その進路が磁気による影響を受け易くなる。ところが、上記のように、補強板５３を消磁することにより電子放出素子４２から放出される電子が磁気の影響を受けなくなるので、電子ビームスピードを現状よりも遅く設定することができる。つまり、図４に示した加速電圧Ｅ２のレベルを低く設定することができるようになる。
【００６０】
また、上記のように補強板５３の消磁を自動的に行なうのではなく、補強板５３の磁化の強さが基準となる磁化の強さを越えたとき、図９に示すように、例えば「内部部品が不要に磁化されました。以下の操作手順にしたがって消磁して下さい。」というような、ユーザに対して補強板５３の消磁を促すメッセージを平面型表示パネル１４に表示させるようにしても良いものである。
【００６１】
この場合、ユーザが、メッセージに記述された操作手順に基づいて操作を行なうことにより、消磁用コイル６０に消磁用電流が流されて、補強板５３の消磁を行なうことができる。消磁が完了した場合には、消磁用コイル６０への消磁用電流の供給を自動的に停止させることが実用的である。
【００６２】
さらに、図１０に示すように、補強板５３の背面を複数（図示の場合は９つ）の領域ａ〜ｉに分割し、各領域ａ〜ｉに対して、磁気センサ５９ａ〜５９ｉと消磁用コイル６０ａ〜６０ｉとを設置する。そして、各領域ａ〜ｉでそれぞれ独自に、磁気センサ５９ａ〜５９ｉの出力データを基準データと比較し、磁化の強さが基準となる磁化の強さを越えたとき、消磁用コイル６０ａ〜６０ｉに消磁用電流を流して消磁を行なうようにする。このようにすれば、補強板５３が部分的に磁化された場合に、その部分だけを消磁することができて効率的である。
【００６３】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００６４】
【図１】この発明の実施の形態を示すもので、テレビジョン放送受信機の外観を説明するために示す正面図。
【図２】同実施の形態におけるテレビジョン放送受信機の信号処理系を説明するために示すブロック構成図。
【図３】同実施の形態におけるテレビジョン放送受信機の映像表示部を説明するために示すブロック構成図。
【図４】同実施の形態における映像表示部に使用された電子放出素子を説明するために示す側断面図。
【図５】同実施の形態における映像表示部の電圧パルス印加部の動作を説明するために示すタイミング図。
【図６】同実施の形態におけるテレビジョン放送受信機のキャビネットの内部を説明するために示す側断面図。
【図７】同実施の形態におけるテレビジョン放送受信機の補強板に対する磁化対策の一例を説明するために示すブロック構成図。
【図８】同実施の形態におけるテレビジョン放送受信機の補強板に対する消磁動作を説明するために示すフローチャート。
【図９】同実施の形態におけるテレビジョン放送受信機の補強板に対する磁化対策の他の例を説明するために示す図。
【図１０】同実施の形態におけるテレビジョン放送受信機の補強板に対する磁化対策のさらに他の例を説明するために示す図。
【符号の説明】
【００６５】
１１…テレビジョン放送受信機、１２…キャビネット、１３…支持台、１４…平面型表示パネル、１５…スピーカ、１６…操作部、１７…リモートコントローラ、１８…受信部、１９…基台、２０…アンテナ、２１…入力端子、２２…チューナ部、２３…デコーダ部、２４…セレクタ、２５…アンテナ、２６…入力端子、２７…チューナ部、２８…Ａ／Ｄ変換部、２９…入力端子、３０…Ａ／Ｄ変換部、３１…入力端子、３２…信号処理部、３３…映像表示部、３４…制御部、３５…ＲＯＭ、３６…ＲＡＭ、３７…不揮発性メモリ、３８…電圧パルス印加部、３９…走査部、４０…水平ライン、４１…垂直ライン、４２…電子放出素子、４３，４４…ラインメモリ、４５１〜４５ｎ…コンパレータ、４６…カウンタ、４７１〜４７ｎ…出力バッファ増幅器、４９…シフトレジスタ、５０１〜５０ｍ…バッファ増幅器、５１…スクリーン、５２…連結部材、５３…補強板、５４…リブ、５５…回路基板、５６…信号処理系ブロック、５７…制御系ブロック、５８…電源系ブロック、５９，５９ａ〜５９ｉ…磁気センサ、６０，６０ａ〜６０ｉ…消磁用コイル、６１…比較回路、６２…制御端子、６３…駆動回路。
【図１】
2007104084.tif 000003
【図２】
2007104084.tif 000004
【図３】
2007104084.tif 000005
【図４】
2007104084.tif 000006
【図５】
2007104084.tif 000007
【図６】
2007104084.tif 000008
【図７】
2007104084.tif 000009
【図８】
2007104084.tif 000010
【図９】
2007104084.tif 000011
【図１０】
2007104084.tif 000012